(57)【要約】【課題】    ズボンの外観に大きな影響を与えることなく、股下の長さを容易に調整することができるズボンの裾構造を提供する。【解決手段】裾の全周にわたって先端側を内側方向に折り返すことで形成された表地折返部を有する表地と、筒体であって、基端側が表地折返部よりも基端側の表地の裏面に取り付けられ、先端側が全周にわたって外側方向に折り返されることで少なくとも一部が表地折返部に全周にわたって面するよう形成された裏地折返部を有する裏地と、表地折返部と裏地折返部とが面するよう、収容する脚部の長手方向に関し異なる位置で両折返部を固定する２以上の固定手段と、を備えてなる、ズボンの裾構造である。【選択図】  図２
0003125870.tif 000002
【実用新案登録請求の範囲】
【請求項１】
裾の全周にわたって先端側を内側方向に折り返すことで形成された表地折返部を有する表地と、
筒体であって、基端側が表地折返部よりも基端側の表地の裏面に取り付けられ、先端側が全周にわたって外側方向に折り返されることで少なくとも一部が表地折返部に全周にわたって面するよう形成された裏地折返部を有する裏地と、
表地折返部と裏地折返部とが面するよう、収容する脚部の長手方向に関し異なる位置で両折返部を固定する２以上の固定手段と、
を備えてなる、ズボンの裾構造。
【請求項２】
固定手段が、表地折返部と裏地折返部とを縫い合わせる糸又は紐である、請求項１に記載のズボンの裾構造。
【請求項３】
固定手段が、表地外面に現れないものである、請求項１又は２に記載のズボンの裾構造。
【請求項４】
固定手段が、表地折返部と裏地折返部との少なくともいずれか一方とは異なる色彩を有するものである、請求項１乃至３のいずれかに記載のズボンの裾構造。
【請求項５】
固定手段が、表地折返部と裏地折返部との間を固定するが、表地折返部以外の表地及び裏地折返部以外の裏地のいずれも固定しないものである、請求項１乃至４のいずれか１に記載のズボンの裾構造。
【請求項６】
固定手段のうち最も先端側に位置するものの表地折返部と裏地折返部との間の固定を、裏地折返部を形成する折返し部分近傍の表地折返部と裏地折返部との隙間から解除することが可能なものである、請求項１乃至５のいずれか１に記載のズボンの裾構造。
【請求項７】
請求項１乃至６のいずれか１に記載のズボンの裾構造を有するズボン。
【考案の詳細な説明】
【技術分野】
【０００１】
本考案は、ズボンの裾構造に関し、より詳細には、股下の長さを容易に調整することができるズボンの裾構造に関する。
【背景技術】
【０００２】
ズボンは、通常、着用者の下半身胴部を収容する胴部分と、胴部分の下端に取り付けられ着用者の脚部を収容する一対の脚部分と、を有してなる。
これまでズボンは、まず、着用者のウエスト周囲の長さや体型（普通、肥満、痩せ等）に応じて選択され、次いで、該選択されたズボンの股下（該脚部分の長さ）を着用者の股下長さに合わせるよう裾調整（裾上げ等とも言われる。）した後、着用に供されていた。通常、裾調整は、着用者の股下長さに合わせて、ズボンの裾部分（脚部分の下端近傍）をズボンの内側（脚部分が形成する筒形状の内部）方向に折り返し、該折り返された部分と脚部分の外面を形成する部分とを縫い糸等で縫いつけることにより行われてきた。
このようなズボンの脚部分を縫いつけることにより裾調整する従来からの方法では、ズボンの脚部分を体裁良く縫いつける必要があるため、これを行うにはそのための技術を有する必要があり、容易に行うことはできなかった。
【０００３】
このような裾調整を容易に行うことができるズボンに対する要求はこれまでもあり、既にいくつかの方法が提案されている（例えば、特許文献１参照）。
特許文献１には、「ズボンの裾の長さを簡単に調整することができ、その調整を繰り返し行なっても布地が傷むことがないようにすることを目的」（特許文献１の段落番号０００４）として考案されたズボンであり、具体的には、「下方に分岐して筒状に延びる一対の脚被着部のそれぞれ内面下端部に、面と面とを押し付けることにより止着される対の面止着具の一方を周方向に間隔を置いて複数個取り付けると共に、その面止着具に対応する面止着具の他方をそれぞれ上記各面止着具の一方が取り付けられた位置から上記分岐方向に所定の間隔を置いて複数段取り付けたズボン」（特許文献１の段落番号０００５）が開示されている。このような特許文献１に記載のズボンによれば、「ズボンの一対の脚被着部のそれぞれ内面下端部には対の面止着具の一方が周方向に間隔を置いて複数個取り付けられているので、その各脚被着部の下端部をそれぞれ内側に折り曲げて、その内側に取り付けられている各面止着具の一方を、その脚被着部の内面に分岐方向に沿って所定の間隔を置いて複数段取り付けられている面止着具の他方に、取り付け段数を被着者の足の長さに応じて任意に選択しながら押し付ければ、裾の長さを簡単に調整することができる」（特許文献１の段落番号０００６）というものである。
【０００４】
【特許文献１】登録実用新案第３０５４３０３号公報（考案の詳細な説明の段落番号０００２〜０００６、００１３、第１図〜第３図等）
【考案の開示】
【考案が解決しようとする課題】
【０００５】
特許文献１に記載のズボンによれば、「ズボンの裾の長さを手間をかけずに簡単に調整することができ、その調整を繰り返しても布地が全く傷むことがない」（特許文献１の段落番号００１３）という効果が得られるものの、一対の脚被着部の内面下端部に、面と面とを押し付けることにより止着される対の面止着具の一方を周方向に間隔を置いて複数個取り付けると共に、その面止着具に対応する面止着具の他方をそれぞれ上記各面止着具の一方が取り付けられた位置から上方に所定の間隔を置いて複数段取り付けることを要し、このような面止着具の一方と他方とをズボンに複数個取り付けることにより、ズボンの外観を無粋なものにしてしまう問題があった。
【０００６】
そこで、本考案では、特許文献１に記載のズボン（面止着具の一方と他方とをズボンに複数個取り付ける）のようにズボンの外観に大きな影響を与えることなく、股下の長さを容易に調整することができるズボンの裾構造を提供することを目的とする。
【課題を解決するための手段】
【０００７】
本考案のズボンの裾構造（以下、「本構造」という。）は、裾の全周にわたって先端側を内側方向に折り返すことで形成された表地折返部を有する表地と、筒体であって、基端側が表地折返部よりも基端側の表地の裏面に取り付けられ、先端側が全周にわたって外側方向に折り返されることで少なくとも一部が表地折返部に全周にわたって面するよう形成された裏地折返部を有する裏地と、表地折返部と裏地折返部とが面するよう、収容する脚部の長手方向に関し異なる位置で両折返部を固定する２以上の固定手段と、を備えてなる、ズボンの裾構造である。
【０００８】
本構造は、表地と、裏地と、２以上の固定手段と、を備えてなる。
表地は、着用者の脚部を収容するズボンの脚部分の裾部分（下端近傍部分）外面（表面）を形成する生地であり、裾の全周にわたって先端側を内側方向に折り返すことで形成された表地折返部を有している。なお、「先端」とは、本構造のズボンを着用した着用者の脚部を収容するズボンの脚部分が形成する筒の開放された両端のうち、着用者の足が近い開放端（即ち、着用者の下半身胴部を収容するズボンの胴部分に取り付けられていない方の開放端）をいう。
裏地は、筒体（一端側の開口と他端側の開口とを経由して外部空間に連通する内部空間を有している。例えば、円筒体を例示できる。）をなすものであり、その筒体の一端側である基端（先端とは逆側の端部であり、本構造のズボンを着用した着用者の脚部を収容するズボンの脚部分が形成する筒の開放された両端のうち、着用者の下半身胴部を収容するズボンの胴部分に取り付けられている方の開放端（即ち、着用者の足から遠い方の開放端）をいう。）側が表地折返部よりも基端側の表地の裏面に取り付けられている。さらに、裏地は、裏地の先端側が全周にわたって外側方向に折り返されることで形成された裏地折返部を有しており、裏地折返部の少なくとも一部は表地折返部に全周にわたって面するように形成されている。
２以上の固定手段は、（裏地折返部の少なくとも一部は表地折返部に全周にわたって面するので、その互いに面する部分において）表地折返部と裏地折返部とが面するよう、収容する脚部（本構造のズボンを着用した着用者の脚部）の長手方向に関し異なる位置で両折返部（表地折返部と裏地折返部）を固定する。
このため２以上の固定手段により、収容する脚部の長手方向に関し異なる位置にて両折返部（表地折返部と裏地折返部）が固定されているので、固定手段のうち最も先端側に位置する固定手段が表地折返部と裏地折返部とを固定していることを解除すれば、該最も先端側に位置する固定手段の次に先端側に位置する固定手段が表地折返部と裏地折返部とを固定する位置まで、表地折返部と裏地折返部との折返幅を減少させ、裾を先端側に伸ばす（ズボンの股下長さを合わせ裾調整する。）ことができる。
この２以上の固定手段により両折返部（表地折返部と裏地折返部）を固定し、必要に応じ、先端側に位置する固定手段の固定を解除するようにする本構造は、特許文献１に記載のズボン（面止着具の一方と他方とをズボンに複数個取り付ける）のようにズボンの外観に大きな影響を与えることなく、股下の長さを容易に調整することができるズボンの裾構造である。
【０００９】
固定手段が、表地折返部と裏地折返部とを縫い合わせる糸又は紐であってもよい。
糸又は紐は、ズボンを縫製するのに広く一般に用いられているものであり、ズボンを縫製する際に本構造を形成するとき、固定手段を構成する材料を別個に準備する必要がないことに加え、ズボンの縫製技術を用いて容易に本構造を形成することができる。また、先端側に位置する固定手段が表地折返部と裏地折返部とを固定していることを解除し、次に先端側に位置する固定手段が表地折返部と裏地折返部とを固定する位置まで、表地折返部と裏地折返部との折返幅を減少させ、裾を先端側に伸ばした際、固定手段たる糸又は紐が表地折返部と裏地折返部とを固定していた跡形が目立ちにくいことからも好ましい。
【００１０】
固定手段が、表地外面に現れないものであってもよい。
両折返部（表地折返部と裏地折返部）を固定する固定手段は、人目に触れやすいズボンの外面となる表地外面に現れない方が、ズボンの外観に大きな影響を与えることなく本構造を形成することができる。なお、「固定手段が、表地外面に現れない」とは、表地の外面（表面）側から見て目視で固定手段を観察できないことをいう。
【００１１】
固定手段が、表地折返部と裏地折返部との少なくともいずれか一方とは異なる色彩を有するものであってもよい。
先端側に位置する固定手段が両折返部（表地折返部と裏地折返部）を固定することを解除する場合、固定手段がどこに位置しどのような状態になっているかを迅速かつ容易に把握できることが解除を円滑に行わしめることができ好ましい。固定手段が固定している両折返部（表地折返部と裏地折返部）と固定手段とは通常近接しているので、固定手段が表地折返部と裏地折返部との少なくともいずれか一方（無論、両方でもよい）とは異なる色彩を有するようにすれば、固定手段の位置や状態等を迅速かつ容易に把握することができる。
【００１２】
固定手段が、表地折返部と裏地折返部との間を固定するが、表地折返部以外の表地及び裏地折返部以外の裏地のいずれも固定しないものであってもよい。
両折返部（表地折返部と裏地折返部）を固定する固定手段は、ズボンの外観に大きな影響を与えることなく本構造を形成するためには、表地折返部以外の表地及び裏地折返部以外の裏地と関係をできる限り持たない方が好ましい。例えば、固定手段が、表地折返部と裏地折返部との間の固定のみならず、表地折返部以外の表地及び／又は裏地折返部以外の裏地も固定すれば、固定手段により固定される表地折返部以外の表地及び／又は裏地折返部以外の裏地にひきつれやしわが生じズボンの外観に悪影響を与え得る。かかる問題を防止又は減少させるためには、固定手段が、表地折返部と裏地折返部との間を固定するが、表地折返部以外の表地及び裏地折返部以外の裏地のいずれも固定しないようにすればよい。
【００１３】
固定手段のうち最も先端側に位置するものの表地折返部と裏地折返部との間の固定を、裏地折返部を形成する折返し部分近傍の表地折返部と裏地折返部との隙間から解除することが可能なものであってもよい。
表地折返部と裏地折返部との折返幅を減少させて裾を先端側に伸ばすには、固定手段のうち最も先端側に位置する固定手段が表地折返部と裏地折返部とを固定していることを解除する必要がある。この固定手段の固定解除は、それに伴いズボンの外観に与える悪影響を可能な限り小さくして行われることが好ましいが、そのためには表地及び裏地（表地折返部と裏地折返部とを含む）を傷つけることをできる限り小さくするべきである。このためには表地及び裏地（表地折返部と裏地折返部とを含む）への新たな穿刺や切開を行わない方法が好ましく、表地折返部と裏地折返部とを固定する固定手段へは、裏地折返部を形成する折返し部分近傍の表地折返部と裏地折返部との隙間から接近することも可能であるので、該隙間から固定手段に操作を加え、固定を解除する（例えば、固定手段が、表地折返部と裏地折返部とを縫い合わせる糸又は紐であれば、裏地折返部を形成する折返し部分近傍の表地折返部と裏地折返部との隙間から糸又は紐をはさみ等で切断する。）ようにしてもよい。
【００１４】
本構造（本考案のズボンの裾構造）によれば、それを有するズボンの裾を先端側に伸ばす（ズボンの股下を長くする）ことを極めて容易かつ迅速に行い得るので、ズボンの股下を着用者の股下長さに合わせるよう裾調整した後に、着用者の股下長さが長くなることにより、再度、ズボンの股下を着用者の股下長さに合わせるよう長く裾調整しなければならなくなるズボンにとりわけ好適に用いられることができる。かかる裾調整した後、着用者の股下長さが長くなることにより、再度、ズボンの股下を長く裾調整しなければならなくなるズボンとしては、成長期の着用者を目的とするものが広く挙げられ、例えば、小学校、中学校又は高等学校の生徒が着用するズボン（例えば、学生服用のズボン、体操着のズボン等）を例示することができる。
また、本構造は、着用者の脚部を収容するズボンの一対の脚部分のうちいずれか一方のみの裾部分に適用されてもよいが、一対の脚部分のうち両方の裾部分に適用される方が、ズボンの股下を着用者の股下長さに合わせるよう容易かつ迅速に裾調整することができるので好ましい。
【考案を実施するための最良の形態】
【００１５】
本考案の実施の形態を図面を参照して詳述するが、本考案はこれに限定されるものではない。
【００１６】
図１は、一例の本考案のズボンの裾構造（本構造）を有するズボン１０１を示す斜視図である。そして、図２は図１のＡ−Ａ断面図であり、図３は図２のＢ−Ｂ端面図である。図１乃至図３を参照して、本構造を有するズボン１０１について説明する。なお、ここに「上」及び「下」とは、ズボン１０１を着用した着用者が水平な床面に直立した状態において該着用者が認識する「上」及び「下」をいい、それぞれ図１中、矢印Ｆ１（上）及び矢印Ｆ２（下）にて示した。
ここではズボン１０１は、中学生又は高校生用の男子学生服のズボンであり、図示しない着用者の下半身胴部を収容する胴部分１０３と、胴部分１０３の下端に取り付けられ着用者の脚部を収容する一対の脚部分１０５（右脚）、１０７（左脚）と、を有してなる。
本構造は、脚部分１０５、１０７の下端近傍に存する裾部分１０５ｂ、１０７ｂに形成されているが、裾部分１０５ｂに形成される本構造と、裾部分１０７ｂに形成される本構造と、のいずれも同様の構造であるので、以下、裾部分１０５ｂに形成される本構造について説明する。
【００１７】
裾部分１０５ｂは、図２及び図３に示すように、脚部分１０５の表地を構成し筒形状に縫製された表地１１と、表地１１（後述の表地本体部１１ａ）の裏面１１ｃに取り付けられた裏地２１と、表地１１（後述の表地折返部１１ｂ）と裏地２１（後述の裏地折返部２１ｂ）とを縫い合わせ固定する固定糸３１、３３、３５（他の線と区別しやすいよう、図２及び後述の図４では一点鎖線にて示している。）と、を備えている。
なお、裾部分１０５ｂは、裾の全周のいずれの位置においても、図３と同様の端面構造を有している。
また、「先端」とは、ズボン１０１を着用した着用者の脚部を収容するズボン１０１の脚部分１０５が形成する筒の開放された両端１０６ａ、１０６ｂのうち、着用者の足が近い開放端（即ち、着用者の下半身胴部を収容するズボン１０１の胴部分１０３に取り付けられていない方の開放端）１０６ｂをいう。そして、「基端」とは、先端１０６ｂとは逆側の端部１０６ａであり、ズボン１０１を着用した着用者の脚部を収容するズボン１０１の脚部分１０５が形成する筒の開放された両端１０６ａ、１０６ｂのうち、着用者の下半身胴部を収容するズボン１０１の胴部分１０３に取り付けられている方の開放端１０６ａ（即ち、着用者の足から遠い方の開放端１０６ａ）をいう。また、「先端側」を図中、矢印Ｋ２にて、そして「基端側」を図中、矢印Ｋ１にて、それぞれ示した。
【００１８】
表地１１は、裾部分１０５ｂの裾の全周にわたって先端側（矢印Ｋ２側）を内側（着用者の脚部が収容される側であり、図３中、内側４１として示した。なお、図３中、内側４１の反対である外側を外側４３として示した。）方向に折り返されることで、折り返し部分１１ｄを境に表地折返部１１ｂ（折り返された部分）と表地本体部１１ａとが形成されている。
【００１９】
裏地２１は、全体として筒形状（筒体。脚部分１０５が収容する脚部の長手方向（図２及び図３にて点線Ｌにて示した。）を軸とする筒である。）を形成しており、筒形状の一端側の開口２１ｐ１と他端側の開口２１ｐ２とを経由して外部空間に連通する内部空間２１ｑを有している。筒形状の一端側の開口２１ｐ１を先端側（矢印Ｋ２）方向に向け、他端側の開口２１ｐ２を基端側（矢印Ｋ１）方向に向けている。裏地２１は、基端側（矢印Ｋ１側）が表地折返部１１ｂよりも基端側（矢印Ｋ１側）の表地１１（表地本体部１１ａ）の裏面１１ｃに、縫いつけ糸５１により全周にわたって縫いつけ（すくい縫い）られて取り付けられている。裏地２１は、裾部分１０５ｂの裾の全周にわたって先端側（矢印Ｋ２側）が外側４３方向に折り返されることで、折り返し部分２１ｄを境に裏地折返部２１ｂ（折り返された部分）と裏地本体部２１ａとが形成されている。そして、裏地折返部２１ｂは、裾部分１０５ｂの裾の全周にわたって表地折返部１１ｂに面している。
【００２０】
固定糸３１、３３、３５は、いずれも独立した縫い糸（いずれかを切断しても他の糸には影響を与えない。）により形成されており、表地折返部１１ｂと裏地折返部２１ｂとが面するよう、脚部分１０５が収容する脚部の長手方向（図２及び図３にて点線Ｌにて示した。）に関し異なる位置で両折返部（表地折返部１１ｂと裏地折返部２１ｂ）を固定している。具体的には、該長手方向Ｌと平行な直線上に存する点イを含み該直線に対して垂直な平面イ（点イ及び平面イのいずれも図示せず）が裏地折返部２１ｂと交わる環状の線に沿って固定糸３５は表地折返部１１ｂと裏地折返部２１ｂとを縫いつけ固定している。該直線上に存する点ロを含み該直線に対して垂直な平面ロ（点ロ及び平面ロのいずれも図示せず）が裏地折返部２１ｂと交わる環状の線に沿って固定糸３３は表地折返部１１ｂと裏地折返部２１ｂとを縫いつけ固定している。同様に、該直線上に存する点ハを含み該直線に対して垂直な平面ハ（点ハ及び平面ハのいずれも図示せず）が裏地折返部２１ｂと交わる環状の線に沿って固定糸３１は表地折返部１１ｂと裏地折返部２１ｂとを縫いつけ固定している。なお、点イ、点ロ及び点ハは、上述のように、該長手方向Ｌと平行な同一の一直線上に存するが、該一直線上では互いに異なる点であり（このように表地折返部１１ｂと裏地折返部２１ｂとが縫いつけ固定された各位置（該一直線を含む平面のうち該一直線により両側に分けられた第１領域と第２領域とのうち第１領域に含まれる該固定された各位置）から、脚部分１０５が収容する脚部の長手方向Ｌと平行な一直線上に下ろした垂線の足の位置が互いに異なることが、「収容する脚部の長手方向に関し異なる位置で両折返部を固定する」との意である。）、互いに隣接する点同士の距離は所定の距離（例えば、２ｃｍ）とされている。
また、表地１１（表地折返部１１ｂを含む）と裏地２１（裏地折返部２１ｂを含む）とが黒色の布地により構成されているのに対し、固定糸３１、３３、３５は、いずれも赤色の縫い糸により形成されている。
【００２１】
このような図２及び図３に示した裾部分１０５ｂにおいては、裏地折返部２１ｂを形成する折り返し部分２１ｄ近傍の表地折返部１１ｂと裏地折返部２１ｂとの隙間６１から固定糸３１をはさみ（図示せず）等で切断することができる。
固定糸３１を切断すると、それまで固定糸３１が固定していた表地折返部１１ｂと裏地折返部２１ｂとの固定が解除されるので、次の固定糸３３が表地折返部１１ｂと裏地折返部２１ｂとを固定する図４（図２と同じ断面を示している）及び図５（図３と同じ端面を示している）に示す位置まで、表地折返部１１ｂと裏地折返部２１ｂとの折返幅を減少させ（即ち、固定糸３１を切断する前の図２及び図３の状態において、固定糸３１と固定糸３３との間の幅Ｗ分だけ表地折返部１１ｂと裏地折返部２１ｂとの折返幅が減少する。）、裾部分１０５ｂの裾を先端側（矢印Ｋ２）にのばすことができる。
同様に、図４及び図５の状態から、固定糸３３を切断すれば、それまで固定糸３３が固定していた表地折返部１１ｂと裏地折返部２１ｂとの固定が解除されるので、次の固定糸３５が表地折返部１１ｂと裏地折返部２１ｂとを固定する位置まで、表地折返部１１ｂと裏地折返部２１ｂとの折返幅を減少させ、裾部分１０５ｂの裾を先端側（矢印Ｋ２）にのばすことができる。
このように、裾部分１０５ｂにおいては、最も下方に位置する固定糸３１、３３を順次切断することで、表地折返部１１ｂと裏地折返部２１ｂとの折返幅を減少させ裾部分１０５ｂの裾を先端側（矢印Ｋ２）にのばすことができる。なお、これは裾部分１０５ｂ、１０７ｂのいずれも同様である。
【００２２】
このような裾部分１０５ｂ、１０７ｂの形成は、従来からのズボンの縫製技術に基づき種々の方法により縫製できるが、簡単に一例を挙げれば次の如きである。
第１に、図６（図３と同様の端面を示す）に示すよう、表地１１と裏地２１とを固定糸３１、３３、３５により縫い合わせ固定する。
第２に、図７（図６と同様の端面を示す）に示すよう、裾部分１０５ｂの裾の全周にわたって表地１１を折り返し部分１１ｄを境に折り返すことで、表地折返部１１ｂと表地本体部１１ａとを形成する。
第３に、図７の状態から、裾部分１０５ｂの裾の全周にわたって裏地２１を折り返し部分２１ｄ（図２及び図３参照）を境に折り返すことで、裏地折返部２１ｂと裏地本体部２１ａとを形成する（図２及び図３参照）。
第４に、第３にて形成された裏地本体部２１ａを、表地１１（表地本体部１１ａ）の裏面１１ｃに縫いつけ糸５１により全周にわたって縫いつけて取り付ける（図２及び図３参照）。
このようにして裾部分１０５ｂ、１０７ｂを形成することができる。
【００２３】
以上のように、ズボン１０１の裾部分１０５ｂ、１０７ｂに係る本構造は、裾の全周にわたって先端側（矢印Ｋ２側）を内側４１方向に折り返すことで形成された表地折返部１１ｂを有する表地１１と、筒体であって、基端側（矢印Ｋ１側）が表地折返部１１ｂよりも基端側（矢印Ｋ１側）の表地１１の裏面１１ｃに取り付けられ、先端側（矢印Ｋ２側）が全周にわたって外側４３方向に折り返されることで少なくとも一部（ここでは全部）が表地折返部１１ｂに全周にわたって面するよう形成された裏地折返部２１ｂを有する裏地２１と、表地折返部１１ｂと裏地折返部２１ｂとが面するよう、収容する脚部の長手方向Ｌに関し異なる位置で両折返部１１ｂ、２１ｂを固定する２以上（ここでは固定糸３１、３３、３５の３個）の固定手段たる固定糸３１、３３、３５と、を備えてなる、ズボンの裾構造である。
【００２４】
そして、固定手段たる固定糸３１、３３、３５が、表地折返部１１ｂと裏地折返部２１ｂとを縫い合わせる糸である。
また、固定手段たる固定糸３１、３３、３５が、表地外面（表地本体部１１ａの両面のうち外側４３に面する面。裏面１１ｃとは反対の面）に現れない。
さらに、固定手段たる固定糸３１、３３、３５が、表地折返部１１ｂと裏地折返部２１ｂとの少なくともいずれか一方（ここでは両方とも黒色）とは異なる色彩である赤色を有する。
【００２５】
加えて、固定手段たる固定糸３１、３３、３５が、表地折返部１１ｂと裏地折返部２１ｂとの間を固定するが、表地折返部１１ｂ以外の表地（表地本体部１１ａ）及び裏地折返部２１ｂ以外の裏地（裏地本体部２１ａ）のいずれも固定しないものである。
また、固定手段たる固定糸３１、３３、３５のうち最も先端側（矢印Ｋ２）に位置するものの表地折返部１１ｂと裏地折返部２１ｂとの間の固定を、裏地折返部２１ｂを形成する折り返し部分２１ｄ近傍の表地折返部１１ｂと裏地折返部２１ｂとの隙間６１から（切断し）解除することが可能なものである。
このズボン１０１は本構造を有するズボンである。
【図面の簡単な説明】
【００２６】
【図１】一例の本考案のズボンの裾構造（本構造）を有するズボンを示す斜視図である。
【図２】図１のＡ−Ａ断面図である。
【図３】図２のＢ−Ｂ端面図である。
【図４】図２の状態から裾を先端側にのばしたところを示す断面図である。
【図５】図３の状態から裾を先端側にのばしたところを示す端面図である。
【図６】本考案のズボンの裾構造（本構造）を形成する第１工程を示す端面図である。
【図７】本考案のズボンの裾構造（本構造）を形成する第２工程を示す端面図である。
【符号の説明】
【００２７】
１１                表地
１１ａ              表地本体部
１１ｂ              表地折返部
１１ｃ              裏面
１１ｄ              折り返し部分
２１                裏地
２１ａ              裏地本体部
２１ｂ              裏地折返部
２１ｄ              折り返し部分
２１ｐ１、２１ｐ２  開口
２１ｑ              内部空間
３１、３３、３５    固定糸
４１                内側
４３                外側
５１                縫いつけ糸
６１                隙間
１０１                ズボン
１０３                胴部分
１０５、１０７        脚部分
１０５ｂ、１０７ｂ    裾部分
１０６ａ、１０６ｂ    開放端
【図１】
0003125870.tif 000003
【図２】
0003125870.tif 000004
【図３】
0003125870.tif 000005
【図４】
0003125870.tif 000006
【図５】
0003125870.tif 000007
【図６】
0003125870.tif 000008
【図７】
0003125870.tif 000009